Podtech/llm-jp-corpus-v4-ja_patent huggingface dataset:
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
構造用接着剤において使用され得、かつ単量体剤を含む樹脂へその重合を開始するために添加されるよう意図される、重合触媒剤であって、遊離基重合開始剤およびエポキシ化シランを含む、重合触媒剤。
【請求項２】
可塑剤を含まないこと、または最大で20（重量）％の可塑剤を含むことを特徴とする、請求項1記載の触媒剤。
【請求項３】
遊離基重合開始剤がペルオキシドであることを特徴とする、請求項1および2のいずれか記載の触媒剤。
【請求項４】
ペルオキシドがベンゾイルペルオキシドであることを特徴とする、請求項3記載の触媒剤。
【請求項５】
5〜40重量％の間の重合開始剤を含むことを特徴とする、請求項1〜4のいずれか一項記載の触媒剤。
【請求項６】
10〜20重量％の間の重合開始剤を含むことを特徴とする、請求項1〜5のいずれか一項記載の触媒剤。
【請求項７】
エポキシ樹脂を追加的に含むことを特徴とする、請求項1〜6のいずれか一項記載の触媒剤。
【請求項８】
無機充填剤を追加的に含むことを特徴とする、請求項1〜7のいずれか一項記載の触媒剤。
【請求項９】
アクリル（メタクリル）樹脂の重合を開始するための、請求項1〜8のいずれか一項記載の触媒剤の使用。
【請求項１０】
触媒剤が樹脂に対して（容量で）1：1〜1：30の比で使用されることを特徴とする、請求項9記載の使用。
【請求項１１】
触媒剤が容量で1：10の比（10の割合の樹脂当たり1の割合の組成物）で使用されることを特徴とする、請求項10記載の使用。
【請求項１２】
樹脂が、スチレンおよびイソプレンを含むエラストマーブロックコポリマー、スチレンおよびブタジエンまたはエチレンを含むエラストマーブロックコポリマー、エラストマー、アルコール部分が少なくとも6個の炭素原子の少なくとも1本の直鎖を呈するアクリル酸エステル単量体、重合加速剤、レオロジー剤、接着促進剤、酸単量体、熱可塑性シェルおよびエラストマーコア（アクリロニトリル／ブタジエン／スチレン、メタクリラート／ブタジエン／スチレン、メタクリラート／アクリロニトリル／ブタジエン／スチレン、またはメタクリラート／アクリロニトリル粒子、およびこれらの混合物）から形成された粒子より選択される少なくとも1つの他の要素を追加的に含むことを特徴とする、請求項9〜11のいずれか一項記載の使用。
【請求項１３】
複合材、とりわけRTM（樹脂注入成形）複合材への部品の接着を促進するための、請求項9〜12のいずれか一項記載の使用。
【手続補正２】
【補正対象書類名】明細書
【補正対象項目名】００１６
【補正方法】変更
【補正の内容】
【００１６】
実際に、接着破壊は、水の浸潤、熱ショック、振動などにより引き起こされる剥離を開始する危険をもたらす、RTM上の構造用接着剤の付着欠陥を明らかにする。多数の自動車の車体の部品がRTMとして作製され、かつ、いかなる付着欠陥も無く接着して、構造的に結合されなければならない。
[本発明1001]
構造用接着剤において使用され得、かつ単量体剤を含む樹脂へその重合を開始するために添加されるよう意図される、重合触媒剤であって、遊離基重合開始剤およびエポキシ化シランを含む、重合触媒剤。
[本発明1002]
可塑剤を含まないこと、または最大で20（重量）％の可塑剤を含むことを特徴とする、本発明1001の触媒剤。
[本発明1003]
遊離基重合開始剤がペルオキシドであることを特徴とする、本発明1001および1002のいずれかの触媒剤。
[本発明1004]
ペルオキシドがベンゾイルペルオキシドであることを特徴とする、本発明1003の触媒剤。
[本発明1005]
5〜40重量％の間の重合開始剤を含むことを特徴とする、本発明1001〜1004のいずれかの触媒剤。
[本発明1006]
10〜20重量％の間の重合開始剤を含むことを特徴とする、本発明1001〜1005のいずれかの触媒剤。
[本発明1007]
エポキシ樹脂を追加的に含むことを特徴とする、本発明1001〜1006のいずれかの触媒剤。
[本発明1008]
無機充填剤を追加的に含むことを特徴とする、本発明1001〜1007のいずれかの触媒剤。
[本発明1009]
アクリル（メタクリル）樹脂の重合を開始するための、本発明1001〜1008のいずれかの触媒剤の使用。
[本発明1010]
触媒剤が樹脂に対して（容量で）1：1〜1：30の比で使用されることを特徴とする、本発明1009の使用。
[本発明1011]
触媒剤が容量で1：10の比（10の割合の樹脂当たり1の割合の組成物）で使用されることを特徴とする、本発明1010の使用。
[本発明1012]
樹脂が、スチレンおよびイソプレンを含むエラストマーブロックコポリマー、スチレンおよびブタジエンまたはエチレンを含むエラストマーブロックコポリマー、エラストマー、アルコール部分が少なくとも6個の炭素原子の少なくとも1本の直鎖を呈するアクリル酸エステル単量体、重合加速剤、レオロジー剤、接着促進剤、酸単量体、熱可塑性シェルおよびエラストマーコアから形成された粒子（アクリロニトリル／ブタジエン／スチレン、メタクリラート／ブタジエン／スチレン、メタクリラート／アクリロニトリル／ブタジエン／スチレン、またはメタクリラート／アクリロニトリル粒子、およびこれらの混合物）より選択される少なくとも1つの他の要素を追加的に含むことを特徴とする、本発明1009〜1011のいずれかの使用。
[本発明1013]
複合材、とりわけRTM（樹脂注入成形）複合材への部品の接着を促進するための、本発明1009〜1012のいずれかの使用。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
少なくとも下記をベースとするゴム組成物：
・ジエンエラストマー；
・補強用充填剤；
・架橋系；
・フェノール樹脂；
・ポリアルデヒド。
【請求項２】
前記エラストマーが、天然ゴム、合成ポリイソプレン、ポリブタジエン、ブタジエンコポリマー、イソプレンコポリマーおよびこれらのエラストマーの混合物からなる群から選ばれる、請求項１記載のゴム組成物。
【請求項３】
フェノール樹脂の量が、1phrと20phrの間の量である、請求項１および２のいずれか１項記載のゴム組成物。
【請求項４】
前記ポリアルデヒドが、少なくとも２個のアルデヒド官能基を含む、請求項１〜３のいずれか１項記載のゴム組成物。
【請求項５】
ポリアルデヒドの量が、1phrと20phrの間の量である、請求項１〜４のいずれか１項記載のゴム組成物。
【請求項６】
前記補強用充填剤が、カーボンブラックおよび/またはシリカを含む、請求項１〜５のいずれか１項記載のゴム組成物。
【請求項７】
請求項１〜６のいずれか１項記載のゴム組成物を含むタイヤ。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
第一部分と第二部分を有する硬化性接着剤組成物であって、前記硬化性接着剤組成物は、
ａ）エポキシ樹脂であって、前記エポキシ樹脂は前記硬化性接着剤組成物の前記第一部分中にある、エポキシ樹脂と、
ｂ）式−ＮＲ１Ｈの基を少なくとも２個有する硬化剤であって、式中、Ｒ１は、水素、アルキル、アリール又はアルキルアリールから選択され、前記硬化剤は前記硬化性接着剤組成物の前記第二部分中にある、硬化剤と、
ｃ）前記硬化性接着剤組成物の前記第一部分中にある反応性液体改質剤であって、前記反応性液体改質剤は式（Ｉ）を有し、
【化１】
2013504653.tif 000001
式中、
Ｒ２は水素又はアルキルであり、
Ｒ３は式−［（ＣＨ２）ｎＯ］ｍ−（ＣＨ２）ｎ−を有し、ここで、Ｒ３は２０個超の炭素原子を有し、
ｎは２〜４の整数であり、
ｍは５以上の整数である、反応性液体改質剤と、
ｄ）強靭化剤であって、前記強靭化剤は、前記硬化性接着剤組成物の前記第一部分、前記第二部分、又は前記第一部分と前記第二部分の両方にある、強靭化剤と、
ｅ）油変位剤であって、前記硬化性接着剤組成物の前記第一部分、前記第二部分、又は前記第一部分と前記第二部分の両方にある、前記油変位剤が前記硬化性接着剤組成物に可溶であり、１５〜３２ダイン／ｃｍの範囲の表面張力を有し、グリシジルエーテルから選択されない、油変位剤と、を含む、硬化性接着剤組成物。
【請求項２】
硬化性接着剤組成物の反応生成物を含む硬化済み接着剤組成物であって、前記硬化性接着剤組成物が、
ａ）エポキシ樹脂と、
ｂ）式−ＮＲ１Ｈの基を少なくとも２個有する硬化剤であって、式中、Ｒ１は水素、アルキル、アリール又はアルキルアリールから選択される、硬化剤と、
ｃ）式（Ｉ）の反応性液体改質剤であって、
【化２】
2013504653.tif 000002
式中、
Ｒ２は水素又はアルキルであり、
Ｒ３は式−［（ＣＨ２）ｎＯ］ｍ−（ＣＨ２）ｎ−を有し、ここで、Ｒ３は２０個超の炭素原子を有し、
ｎは２〜４の整数であり、
ｍは５以上の整数である、反応性液体改質剤と、
ｄ）強靭化剤と、
ｅ）前記硬化性接着剤組成物に可溶である油変位剤であって、前記油変位剤は１５〜３２ダイン／ｃｍの範囲の表面張力を有し、前記油変位剤はグリシジルエーテルから選択されない、油変位剤と、を含む、硬化済み接着剤組成物。
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
第一部分と第二部分を有する硬化性接着剤組成物であって、前記硬化性接着剤組成物は、
ａ）エポキシ樹脂であって、前記エポキシ樹脂は前記硬化性接着剤組成物の前記第一部分中にある、エポキシ樹脂と、
ｂ）式−ＮＲ１Ｈの基を少なくとも２個有する硬化剤であって、式中、Ｒ１は、水素、アルキル、アリール又はアルキルアリールから選択され、前記硬化剤は前記硬化性接着剤組成物の前記第二部分中にある、硬化剤と、
ｃ）前記硬化性接着剤組成物の前記第一部分中にある反応性液体改質剤であって、前記反応性液体改質剤は式（Ｉ）を有し、
【化１】
2013504652.tif 000001
式中、
Ｒ２は水素又はアルキルであり、
Ｒ３は、少なくとも８個の炭素原子を有し、少なくとも１個のアルケン−ジイル基と少なくとも１個のオキシラン基とを有する、脂肪族基である、反応性液体改質剤と、
ｄ）強靭化剤であって、前記硬化性接着剤組成物の前記第一部分、前記第二部分、又は前記第一部分と前記第二部分の両方にある、強靭化剤と、を含む、硬化性接着剤組成物。
【請求項２】
硬化性接着剤組成物の反応生成物を含む硬化済み接着剤組成物であって、前記硬化性接着剤組成物が、
ａ）エポキシ樹脂と、
ｂ）式−ＮＲ１Ｈの基を少なくとも２個有する硬化剤であって、式中、Ｒ１は水素、アルキル、アリール又はアルキルアリールから選択される、硬化剤と、
ｃ）式（Ｉ）の反応性液体改質剤であって、
【化２】
2013504652.tif 000002
式中、
Ｒ２は水素又はアルキルであり、
Ｒ３は、少なくとも８個の炭素原子を有し、少なくとも１個のアルケン−ジイル基と少なくとも１個のオキシラン基とを有する、脂肪族基である、反応性液体改質剤と、
ｄ）強靭化剤と、を含む、硬化済み接着剤組成物。
【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
母材内に含まれるナノ粒子を含む粒子であって、該粒子の外表面の少なくとも一部にコーティングを含み、該コーティングが低酸素透過性の樹脂を含む、粒子。
【請求項２】
前記コーティングが、置換または非置換であり得る、ポリビニルアルコール化合物を含む、請求項１に記載の粒子。
【請求項３】
前記コーティングが、置換または非置換であり得る、ポリビニリデンジクロライドを含む、請求項１に記載の粒子。
【請求項４】
前記コーティングが、少なくとも０．１ミクロンの厚さを有する、請求項１に記載の粒子。
【請求項５】
前記粒子が、０．０１μｍ〜１００μｍの範囲の少なくとも一次元を有する、請求項１に記載の粒子。
【請求項６】
前記粒子が、少なくとも０．００１重量％のナノ粒子を含む、請求項１に記載の粒子。
【請求項７】
前記粒子が、０．００１〜２５重量％のナノ粒子を含む、請求項１に記載の粒子。
【請求項８】
前記母材がポリマーを含む、請求項１に記載の粒子。
【請求項９】
前記母材がロウを含む、請求項１に記載の粒子。
【請求項１０】
前記ナノ粒子の少なくとも一部が発光特性を有し、前記母材が光学的に透明である、請求項１に記載の粒子。
【請求項１１】
前記ナノ粒子の少なくとも一部が、第１の半導体材料を含むコアおよび該コアの外表面の少なくとも一部の上に配置されたシェルを含み、該シェルが第２の半導体材料を含む、請求項１に記載の粒子。
【請求項１２】
請求項１に記載の複数の粒子を含む、粉末。
【請求項１３】
２以上の粒子群が前記粉末に含まれ、少なくとも一つの粒子群が、別の粒子群に含まれるナノ粒子によって放出されるものと異なる波長の光を放出するナノ粒子を含む、請求項１２に記載の粉末。
【請求項１４】
請求項１に記載の１以上の粒子および固体もしくは液体媒体を含む、製剤。
【請求項１５】
粒子が、媒体の重量基準で少なくとも０．１重量％の量で製剤中に存在する、請求項１４に記載の製剤。
【請求項１６】
粒子が、媒体の重量基準で少なくとも０．１〜７５重量％の量で製剤中に存在する、請求項１４に記載の製剤。
【請求項１７】
前記媒体が、モノマー類、ポリマー類、樹脂類および／または他のフィルム形成組成物を含む、請求項１４に記載の製剤。
【請求項１８】
前記製剤が、１以上の添加剤をさらに含む、請求項１４に記載の製剤。
【請求項１９】
前記１以上の添加剤が、着色剤、散乱剤、結合剤、界面活性剤、ＵＶ吸収剤および／またはこれらの１以上の混合物を含む、請求項１８に記載の製剤。
【請求項２０】
請求項１４に記載の製剤を含む、コーティング。
【請求項２１】
前記コーティングが、モノマー類、ポリマー類、樹脂類および／または他のフィルム形成組成物をさらに含む、請求項２０に記載のコーティング。
【請求項２２】
前記コーティングが、１以上の添加剤をさらに含む、請求項２０に記載のコーティング。
【請求項２３】
前記１以上の添加剤が、着色剤、散乱剤、結合剤、界面活性剤、ＵＶ吸収剤および／またはこれらの１以上の混合物を含む、請求項２２に記載のコーティング。
【請求項２４】
請求項１に記載の複数の粒子から製造されるフィルムを含む、コーティング。
【請求項２５】
第２の母材中に分散した、請求項１に記載の１以上の粒子を含む、組成物。
【請求項２６】
前記第２の母材が、ポリマーを含む、請求項２５に記載の組成物。
【請求項２７】
前記第２の母材が、モノマーを含む、請求項２５に記載の組成物。
【請求項２８】
前記第２の母材が、樹脂を含む、請求項２５に記載の組成物。
【請求項２９】
母材中に分散させたナノ粒子を含む粒子を提供する段階、前記粒子の少なくとも一部の外表面の少なくとも一部の上にコーティングを形成する段階を有し、前記コーティングが低酸素透過性を有する樹脂を含む、カプセル化ナノ粒子の製造方法。
【請求項３０】
前記コーティングが、置換または非置換であり得る、ポリビニルアルコール化合物を含む、請求項２９に記載の方法。
【請求項３１】
前記コーティングが、置換または非置換であり得る、ポリビニリデンジクロライドを含む、請求項２９に記載の方法。
【請求項３２】
前記コーティングが、少なくとも０．１ミクロンの厚さを有する、請求項２９に記載の方法。
【請求項３３】
前記母材が、ポリマーを含む、請求項２９に記載の方法。
【請求項３４】
前記母材が、ロウを含む、請求項２９に記載の方法。
【請求項３５】
前記母材が、ポリアクリレートを含む、請求項２９に記載の方法。
【請求項３６】
前記母材が、無機材料を含む、請求項２９に記載の方法。
【請求項３７】
前記ナノ粒子が、発光特性を有する、請求項２９に記載の方法。
【請求項３８】
前記母材が、ポリアクリレートを含む、請求項１に記載の粒子。
【請求項３９】
前記母材が、ポリメタクリレートを含む、請求項１に記載の粒子。
【請求項４０】
前記母材が、ポリメタクリル酸ラウリルを含む、請求項１に記載の粒子。
【請求項４１】
前記母材が、無機材料を含む、請求項１に記載の粒子。
【請求項４２】
前記ナノ粒子が、発光特性を有する、請求項１に記載の粒子。
【請求項４３】
請求項１に記載の１以上の粒子を含む、組成物。
【請求項４４】
前記母材中に分散したナノ粒子を含む粒子を形成する段階、コーティング材料を不溶性とすることで液体媒体中の粒子の少なくとも一部の外表面の少なくとも一部の上にコーティング材料を含む層を形成する段階、前記コーティング材料を架橋することでコーティングを形成する段階を含む、カプセル化ナノ粒子の製造方法。
【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
ナフサ沸点範囲原料を選択的水素化する方法であって、
ナフサ沸点範囲原料を、効果的な選択的水素化脱硫条件下に、水素化脱硫触媒および有効量の抑制剤の存在下で反応器に導入して、生成物硫黄含有量を有する水素化脱硫原料を製造する工程であって、前記選択的水素化脱硫条件には、触媒の加重平均床温度が含まれる工程、および
前記抑制剤が少なくとも実質的に前記反応器から除去されるまで、前記水素化脱硫原料における前記生成物硫黄含有量を保持するのに効果的な選択的水素化脱硫条件下に、ナフサ沸点原料を反応器に導入しつつ、前記抑制剤の量を低減すると共に、加重平均床温度を上昇させる工程であって、
前記抑制剤は、加重平均床温度が反応開始時の加重平均床温度に対して８゜Ｆ（４℃）上昇する前に、実質的に反応器から除去され、
前記生成物硫黄含有量は、実質的に一定量の硫黄５ｗｐｐｍ〜１５０ｗｐｐｍで保持される工程
を含む方法。
【請求項２】
抑制剤の量の低減を開始した後に、前記加重平均床温度を低減させないことを特徴とする請求項１に記載の方法。
【請求項３】
抑制剤の量の低減を開始した後に、水素化の開始時の温度に対して、前記加重平均床温度を８゜Ｆ（４℃）以下低減させることを特徴とする請求項１に記載の方法。
【請求項４】
抑制剤の量の低減を開始した後に、水素化中の温度に対して、前記加重平均床温度を８゜Ｆ（４℃）以下低減させることを特徴とする請求項１に記載の方法。
【請求項５】
水素化脱硫原料の前記生成物硫黄含有量を監視する工程を更に含み、
抑制剤の量の低減および加重平均床温度の上昇の両方が、監視される生成物硫黄含有量に応答することを特徴とする請求項１に記載の方法。
【請求項６】
水素化の開始時の温度に対して温度が６゜Ｆ（３℃）上昇する前に、前記抑制剤が実質的に除去されることを特徴とする請求項１に記載の方法。
【請求項７】
前記実質的に一定量の硫黄は、７５ｗｐｐｍ未満であることを特徴とする請求項１に記載の方法。
【請求項８】
前記実質的に一定量の硫黄は、１０ｗｐｐｍ〜３０ｗｐｐｍであることを特徴とする請求項１に記載の方法。
【請求項９】
反応器中、前記抑制剤を、１０ｗｐｐｍ以下のレベルまで低減することを特徴とする請求項１に記載の方法。
【請求項１０】
反応器中、前記抑制剤を反応器から除去することを特徴とする請求項１に記載の方法。
【請求項１１】
ナフサ沸点範囲原料を選択的水素化する方法であって、
ナフサ沸点範囲原料を、効果的な選択的水素化脱硫条件下に、水素化脱硫触媒および有効量の抑制剤の存在下で反応器に導入して、生成物硫黄含有量を有する水素化脱硫原料を製造する工程であって、前記選択的水素化脱硫条件には、触媒の加重平均床温度が含まれる工程、および
前記抑制剤が少なくとも実質的に前記反応器から除去されるまで、前記水素化脱硫原料における前記生成物硫黄含有量を保持するのに効果的な選択的水素化脱硫条件下に、ナフサ沸点原料を反応器に導入しつつ、前記抑制剤の量を低減する工程であって、
前記生成物硫黄含有量は、実質的に一定量の硫黄５ｗｐｐｍ〜１５０ｗｐｐｍで保持される工程
を含むことを特徴とするナフサ沸点範囲原料の選択的水素化方法。
【請求項１２】
水素化脱硫原料の前記生成物硫黄含有量を監視する工程を更に含み、
抑制剤の量の低減が、監視される生成物硫黄含有量に応答することを特徴とする請求項１１に記載の方法。
【請求項１３】
反応器中、前記抑制剤を、１０ｗｐｐｍ以下のレベルまで低減することを特徴とする請求項１１に記載の方法。
【請求項１４】
反応器中、前記抑制剤を、抑制剤のピークレベルの５％以下のレベルまで低減することを特徴とする請求項１１に記載の方法。
【請求項１５】
水素化開始時の前記加重平均床温度は、４５０゜Ｆ（２３２℃）〜５７５゜Ｆ（３０２℃）であることを特徴とする請求項１１に記載の方法。
【請求項１６】
水素化終了時の前記加重平均床温度は、５５０゜Ｆ（２８８℃）〜７５０゜Ｆ（３９９℃）であることを特徴とする請求項１１に記載の方法。
【請求項１７】
水素化終了時の前記加重平均床温度は、運転開始時の温度と運転終了時の温度の差７５゜Ｆ（４２℃）〜２５０゜Ｆ（１３９℃）以下に対応することを特徴とする請求項１１に記載の方法。
【請求項１８】
水素化終了時の前記加重平均床温度は、運転開始時の温度と運転終了時の温度の差１５０゜Ｆ（８３℃）以下に対応することを特徴とする請求項１１に記載の方法。
【請求項１９】
前記効果的な選択的水素化脱硫条件には、圧力６０ｐｓｉｇ（４１０ｋＰａｇ）〜８００ｐｓｉｇ（５．５ＭＰａｇ）、水素原料速度５００ｓｃｆ／ｂ（８４Ｎｍ３／ｍ３）〜６０００ｓｃｆ／ｂ（１０００Ｎｍ３／ｍ３）、および液空間速度０．５時−１〜１５時−１が含まれることを特徴とする請求項１１に記載の方法。
【請求項２０】
前記効果的な選択的水素化脱硫条件には、圧力２００ｐｓｉｇ（１．４ＭＰａｇ）〜５００ｐｓｉｇ（３．４ＭＰａｇ）、水素原料速度１０００ｓｃｆ／ｂ（１７０Ｎｍ３／ｍ３）〜３０００ｓｃｆ／ｂ（５００Ｎｍ３／ｍ３）、および液空間速度０．５時−１〜１０時−１が含まれることを特徴とする請求項１１に記載の方法。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
被験者において酵母ベースの免疫療法組成物の免疫療法特性を増強する方法に使用するための組成物の組合せであって、前記組合せは、
ａ）酵母媒体及び抗原を含む酵母ベースの免疫療法組成物であって、抗原が酵母媒体により発現されるか、酵母媒体に結合しているか、又は酵母媒体と混合されている免疫療法組成物と、
ｂ）インターロイキン−６（ＩＬ−６）、ＩＬ−２１、ＩＬ−２２、ＩＬ−２３、ＩＬ−１７、又はＩＬ−１から選択されるサイトカイン又はその受容体の発現又は活性を下方制御する作用剤、或いは、ＩＬ−２５、ＩＬ−２７、又はそれらのアゴニストから選択される作用剤とを含む組合せ。
【請求項２】
被験者が、Ｉ型インターフェロン療法に対して不応答性であるか、又は部分的に応答性である、請求項１に記載の組合せ。
【請求項３】
被験者に、作用剤の非存在下で酵母ベースの免疫療法組成物を投与した結果、被験者におけるＩＬ−１７の産生量及びＴＨ１７  ＣＤ４＋  Ｔ細胞の存在数の少なくともいずれか一方が、一般的に健康な個体の集団又は群として特定の疾患または症状を有していない集団に由来する同じ供給源から単離されたＣＤ４＋  Ｔ細胞におけるＩＬ−１７の平均産生レベル又はＴＨ１７細胞の平均レベル／数よりも統計学的に有意に（ｐ＞０．０５）多くなる、請求項１又は２に記載の組合せ。
【請求項４】
被験者から単離されたＴ細胞が、酵母ベースの免疫療法組成物との接触に応答して増殖しない、請求項１〜３のいずれか一項に記載の組合せ。
【請求項５】
被験者において酵母ベースの免疫療法組成物の免疫療法特性を増強する方法に使用するための組成物の組合せであって、前記組合せは、
ａ）酵母媒体及び抗原を含む酵母ベースの免疫療法組成物であって、抗原が酵母媒体により発現されるか、酵母媒体に結合しているか、又は酵母媒体と混合されている免疫療法組成物と、
ｂ）ＩＬ−６、ＩＬ−２１、ＩＬ−２２、ＩＬ−２３、ＩＬ−１７、ＩＬ−１、又はそれらの受容体である作用剤、又はＩＬ−６、ＩＬ−２１、ＩＬ−２２、ＩＬ−２３、ＩＬ−１７、ＩＬ−１、又はそれらの受容体の発現又は活性を誘発又は増加させる作用剤、或いはＩＬ−２５、ＩＬ−２７又はそれらの受容体の発現又は活性を阻害する作用剤、若しくはＩ型インターフェロンの発現又は活性を下方制御する作用剤とを含む組合せ。
【請求項６】
被験者が、疾患に関連する１つ又は複数の症状に関して、酵母ベースの免疫療法に対する不応答者又は部分的応答者である、請求項５に記載の組合せ。
【請求項７】
被験者に、作用剤の非存在下で酵母ベースの免疫療法組成物を投与した結果、被験者におけるＩＬ−１７の産生量及びＴＨ１７  ＣＤ４＋  Ｔ細胞の存在数の少なくともいずれか一方が、一般的に健康な個体の集団又は群として特定の疾患または症状を有していない集団に由来する同じ供給源から単離されたＣＤ４＋  Ｔ細胞におけるＩＬ−１７の平均産生レベル又はＴＨ１７細胞の平均レベル／数よりも統計学的に有意に（ｐ＞０．０５）少なくなる、請求項５又は６に記載の組合せ。
【請求項８】
作用剤が、抗体又はその抗原結合部分、タンパク質又はペプチド、ｓｉＲＮＡ、低分子、及びアプタマーからなる群から選択される、請求項１〜７のいずれか一項に記載の組合せ。
【請求項９】
作用剤が、酵母ベースの免疫療法組成物の投与と同時に、酵母ベースの免疫療法組成物の投与前に、酵母ベースの免疫療法組成物の投与後に、又は酵母ベースの免疫療法組成物と共に断続的に投与されるか、
酵母ベースの免疫療法組成物が、作用剤の投与を開始する前の特定の期間にわたって１つ又は複数の用量で投与されるか、
作用剤が、被験者の初期免疫応答を調節するのに十分な所定の期間投与され、その後酵母ベースの免疫療法組成物が作用剤の非存在下で投与される期間が続くか、又は
酵母ベースの免疫療法組成物を生成するのに使用される酵母が、作用剤を保持又は発現するように操作されている、請求項１〜８のいずれか一項に記載の組合せ。
【請求項１０】
作用剤及び酵母ベースの免疫療法の投与が、酵母ベースの免疫療法組成物単独の投与と比較して、ＣＤ８＋  Ｔ細胞応答を増強する、請求項１〜９のいずれか一項に記載の組合せ。
【請求項１１】
疾患がウイルス疾患である、請求項１〜１０のいずれか一項に記載の組合せ。
【請求項１２】
ウイルス疾患が、Ｃ型肝炎ウイルス感染症又はＢ型肝炎ウイルス感染症である、請求項１１に記載の組合せ。
【請求項１３】
疾患が癌である、請求項１〜１０のいずれか一項に記載の組合せ。
【請求項１４】
酵母媒体が、熱不活化全酵母である、請求項１〜１３のいずれか一項に記載の組合せ。
【請求項１５】
酵母媒体が、サッカロマイセス・セレビシエ由来である、請求項１〜１４のいずれか一項に記載の組合せ。
【請求項１６】
酵母ベースの免疫療法の予測される免疫応答性について被験者をスクリーニングする方法であって、酵母ベースの免疫療法は酵母媒体及び抗原の投与を含み、抗原は酵母媒体により発現されるか、酵母媒体に結合しているか、又は酵母媒体と混合されたものであり、前記方法は、
ａ）被験者に由来するＴ細胞を、酵母ベースの免疫療法組成物と接触した抗原提示細胞（ＡＰＣ）とｉｎ  ｖｉｔｒｏで接触させることと、
ｂ）ＡＰＣとの接触に応答したＴ細胞増殖、ＡＰＣとの接触に応答したＴ細胞によるＩＬ−１７産生、及びＡＰＣとの接触に応答したＴ細胞によるレチノイド関連オーファン受容体（ＲＯＲ）の発現からなる群から選択されるＴ細胞の表現型を検出することとを含み、
Ｔ細胞がＡＰＣとの接触に応答して増殖できないか、又は一般的に健康な個体の集団又は群として特定の疾患または症状を有していない集団に由来する同じ供給源から単離されたＴ細胞と比較して、そのＴ細胞が正常より多量のＩＬ−１７を産生するか若しくは正常より高いＲＯＲγｔの発現を示す場合、その被験者はＴＨ１７細胞の産生又は生存を阻害する作用剤と共に酵母ベースの免疫療法組成物を投与する候補であると予測される方法。
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
エチレンおよびシロキサン由来の各単位を含むポリマーであって、１３Ｃ核磁気共鳴（ＮＭＲ）によって決定すると、炭素原子１０００個当たり少なくとも０．１５単位のアミル基を有するポリマー。
【請求項２】
シロキサンの１個または複数のケイ素原子に結合しているエチレンの一部を含む、請求項１に記載のポリマー。
【請求項３】
以下の数学的関係を満たす、ピーク溶融温度Ｔｍ（℃）および密度（ｇ／ｃｍ３）を有する、請求項１に記載のポリマー。
Ｔｍ＜７７１．５（℃・ｃｃ／ｇ）（密度）−６０４（℃）
【請求項４】
請求項１〜３のいずれかに記載のポリマーを含む組成物。
【請求項５】
請求項４に記載の組成物から形成される少なくとも１つの成分を含む物品。
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
エチレンおよびポリアルキレン由来の単位を含むポリマーであって、１３Ｃ核磁気共鳴（ＮＭＲ）によって決定すると、炭素原子１０００個当たり少なくとも０．１５単位のアミル基を有するポリマー。
【請求項２】
１３Ｃ  ＮＭＲによって決定すると、測定可能なメチル分岐部を含まない、請求項１に記載のポリマー。
【請求項３】
１３Ｃ  ＮＭＲによって決定すると、測定可能なプロピル分岐部を含まない、請求項１に記載のポリマー。
【請求項４】
請求項１から３のいずれかに記載のポリマーを含む組成物。
【請求項５】
請求項４に記載の組成物から形成される少なくとも１つの成分を含む物品。
【手続補正２】
【補正対象書類名】明細書
【補正対象項目名】００１１
【補正方法】変更
【補正の内容】
【００１１】
一実施形態において、ポリマーは、エチレンおよびポリアルキレン由来の各単位を含み、ポリマーは、１３Ｃ核磁気共鳴（ＮＭＲ）によって決定すると、炭素原子１０００個当たり少なくとも０．１５単位、典型的には少なくとも０．５単位、より典型的には少なくとも０．８単位のアミル基を有する。典型的にはポリマーは、下記の１つまたは複数を有する。（１）１３Ｃ  ＮＭＲによって決定すると、炭素原子１０００個当たり１単位、典型的には少なくとも１．２単位、より典型的には少なくとも１．４単位のＣ６＋分岐部、（２）１３Ｃ  ＮＭＲによって決定すると、炭素原子１０００個当たり測定可能でないメチル分岐部（測定可能なメチル分岐部を含まない）、（３）１３Ｃ  ＮＭＲによって決定すると、炭素原子１０００個当たり測定可能でないプロピル分岐部（測定可能なプロピル分岐部を含まない）、および（４）１３Ｃ  ＮＭＲによって決定すると、炭素原子１０００個当たり５単位以下、典型的には３単位以下、より典型的には２単位以下のアミル基。一実施形態において、ポリマー、またはポリマーのエチレンベースのポリマー分岐部は、これらの特性の２つ、３つ、または４つ全てを有する。
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
エチレン及びポリ（アルコキシド）由来の単位を含むポリマーであって、前記エチレンの一部分がポリ（アルコキシド）の１個又はそれ以上の主鎖炭素原子に結合し、前記ポリマーが、１３Ｃ核磁気共鳴（ＮＭＲ）によって求められる、１０００炭素原子当たり少なくとも０．１５単位のアミル基を有し、かつ感知できるプロピル分岐を含まないポリマー。
【請求項２】
前記ポリマーが、ポリ（アルコキシド）の主鎖炭素原子に結合した少なくとも１つのエチレン系ポリマー分岐を含む、請求項１に記載のポリマー。
【請求項３】
前記ポリマーが、１３Ｃ  ＮＭＲによって求められる、感知できるメチル分岐を含まない、請求項１に記載のポリマー。
【請求項４】
請求項１に記載の前記ポリマーを含む組成物。
【請求項５】
請求項４に記載の前記組成物から形成された少なくとも１つの成分を含む物品。
【手続補正２】
【補正対象書類名】明細書
【補正対象項目名】０１５５
【補正方法】変更
【補正の内容】
【０１５５】
本発明を前述の好ましい実施形態の説明を通じてある程度詳細に述べたが、この詳細は主として例示を目的としたものである。当業者は、以下の特許請求の範囲に記載する本発明の精神及び範囲から逸脱することなく、多くの変更及び修正を加えることができる。
本発明は以下の態様を包含し得る。
［１］  エチレン及びポリ（アルコキシド）由来の単位を含むポリマーであって、前記ポリマーが、１３Ｃ核磁気共鳴（ＮＭＲ）によって求められる、１０００炭素原子当たり少なくとも０．１５単位のアミル基を有するポリマー。
［２］  ポリ（アルコキシド）の１個又はそれ以上の主鎖炭素原子に結合したエチレンの一部分を含む、上記［１］に記載のポリマー。
［３］  前記ポリマーが、ポリ（アルコキシド）の主鎖炭素原子に結合した少なくとも１つのエチレン系ポリマー分岐を含む、上記［１］に記載のポリマー。
［４］  前記ポリマーが、１３Ｃ  ＮＭＲによって求められる、感知できるメチル分岐を含まない、上記［１］から［３］のいずれか一項に記載のポリマー。
［５］  前記ポリマーが、１３Ｃ  ＮＭＲによって求められる、感知できるプロピル分岐を含まない、上記［１］から［４］のいずれか一項に記載のポリマー。
［６］  密度少なくとも０．９２ｇ／ｃｍ３を有する、上記［１］から［５］のいずれか一項に記載のポリマー。
［７］  前記ポリ（アルコキシド）の６０重量パーセント未満が、溶媒抽出によって抽出可能である、上記［１］から［６］のいずれか一項に記載のポリマー。
［８］  下記の数学的関係を満たす、ピーク溶融温度Ｔｍ（℃）及び密度（ｇ／ｃｍ３）を有する：
Ｔｍ＜７７１．５（℃・ｃｃ／ｇ）×（密度）−６０４（℃）
上記［１］から［７］のいずれか一項に記載のポリマー。
［９］  下記の数学的関係を満たす、融解熱（Ｈｆ）（ジュール／グラム（Ｊ／ｇ））及び密度（ｇ／ｃｍ３）を有する：
Ｈｆ＜２３３３（Ｊ・ｃｃ／ｇ２）×（密度）−２００９（Ｊ／ｇ）
上記［１］から［８］のいずれか一項に記載のポリマー。
［１０］  上記［１］から［９］のいずれかに記載の前記ポリマーを含む組成物。
［１１］  上記［１０］に記載の前記組成物から形成された少なくとも１つの成分を含む物品。
［１２］  フィルムの形態である、上記［１１］に記載の物品。
［１３］  エチレン及びポリ（アルコキシド）由来の単位を含むポリマーを形成する方法であって、前記方法が、
Ａ．第１反応器又は複数部分反応器の第１部分において、フリーラジカル開始剤の存在下、少なくとも１種のポリ（アルコキシド）をエチレンと接触させるステップ、及び
Ｂ．少なくとも１つの他の反応器又は複数部分反応器の後部において、前記フリーラジカル開始剤の存在下、前記ポリ（アルコキシド）を追加のエチレンと反応させて、前記ポリ（アルコキシド）に結合したエチレン系ポリマー分岐を形成するステップを含む方法。
［１４］  前記エチレン系ポリマー分岐が、エチレンモノマーをポリ（アルコキシド）と結合して、エチレン−ポリ（アルコキシド）部分を形成し、前記得られた部分を少なくとも追加のエチレンモノマーと重合して、前記エチレン系ポリマー分岐を形成することによって形成される、上記［１３］に記載の方法。
［１５］  前記エチレン系ポリマー分岐が、前記ポリ（アルコキシド）とは独立して形成され、その後、前記ポリ（アルコキシド）にグラフト化される、上記［１３］に記載の方法。
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
脂肪族シアノアルデヒド類を脂肪族ジアミン類へ還元的アミノ化するための触媒系の触媒活性を改良するための方法であって、
アンモニア、任意で水素、及び１つ又はそれ以上の溶媒を減少した触媒活性を有する１つ又はそれ以上の異種の金属をベースとする触媒系の上方に５０℃〜５００℃の範囲内の温度で１時間より長い期間に亘って供給する工程であって、前記１つ又はそれ以上の異種の金属をベースとする触媒系はシアノアルデヒド類からジアミン類へのモル変換に基づいて９０％未満の収率を有する工程と、
引き続いて水素及び任意で１つ又はそれ以上の溶媒を前記１つ又はそれ以上の異種の金属をベースとする触媒系の上方に１００℃〜５００℃の範囲内の温度で１時間より長い期間に亘って供給する工程と、
それにより前記１つ又はそれ以上の異種の金属をベースとする触媒系の前記触媒活性を改良する工程とを含む方法。
【請求項２】
請求項１に記載の方法によって得られる改良された触媒活性を有する１つ又はそれ以上の異種の金属をベースとする触媒系。
【請求項３】
脂環式ジアミンであって、
還元的アミノ化反応装置系に供給された１，３−シアノシクロヘキサンカルボキサルデヒド、１，４−シアノシクロヘキサンカルボキサルデヒド、それらの混合物、及びそれらの組み合わせからなる群から選択される１つ又はそれ以上の脂環式シアノアルデヒド類、水素、及びアンモニアの反応生成物を含み、ここで前記１つ又はそれ以上の脂環式シアノアルデヒド類、水素、及びアンモニアは請求項２に記載の１つ又はそれ以上の異種の金属をベースとする触媒系の存在下で８０℃〜約１６０℃の範囲内の温度及び７００〜３，５００ｐｓｉｇの範囲内の圧力下で相互に接触させられ、
ここで前記１つ又はそれ以上の脂環式ジアミン類は１，３−ビス（アミノメチル）シクロヘキサン、１，４−ビス（アミノメチル）シクロヘキサン、それらの組み合わせ、及びそれらの混合物から選択される脂環式ジアミン。
【請求項４】
脂環式ジアミン類を製造するための方法であって、
１，３−シアノシクロヘキサンカルボキサルデヒド、１，４−シアノシクロヘキサンカルボキサルデヒド、それらの混合物、及びそれらの組み合わせからなる群から選択される１つ又はそれ以上の脂環式シアノアルデヒド類、水素、及びアンモニアを還元的アミノ化反応装置系に供給する工程と、
前記１つ又はそれ以上の脂環式シアノアルデヒド類、水素、及びアンモニアを請求項２に記載の１つ又はそれ以上の異種の金属をベースとする触媒系の存在下で８０℃〜約１６０℃の範囲内の温度及び７００〜３，５００ｐｓｉｇの範囲内の圧力下で相互に接触させる工程と、
それにより１つ又はそれ以上の脂環式ジアミン類を形成する工程であって、ここで前記１つ又はそれ以上の脂環式ジアミン類は１，３−ビス（アミノメチル）シクロヘキサン、１，４−ビス（アミノメチル）シクロヘキサン、それらの組み合わせ、及びそれらの混合物からなる群から選択されるジアミン類である工程と、を含む方法。
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
少なくとも1つの脂質、少なくとも1つのインスリン、少なくとも1つのスカベンジャー、および任意選択により少なくとも1つの界面活性剤を含む非水性液体医薬組成物であって、スカベンジャーが、窒素含有求核性化合物である非水性液体医薬組成物。
【請求項２】
スカベンジャーがエチレンジアミンまたはその誘導体である、請求項1に記載の非水性液体医薬組成物。
【請求項３】
脂質および/または界面活性剤が高純度脂質である、請求項1または2に記載の非水性液体医薬組成物。
【請求項４】
脂質および/または界面活性剤が、医薬組成物に添加される際に、20ppm未満のアルデヒドおよび/またはケトン含量を有する、請求項1から3のいずれか一項に記載の非水性液体医薬組成物。
【請求項５】
脂質および/または界面活性剤が、医薬組成物に添加される前に、界面活性剤適合性窒素含有求核性マトリックスを使用して精製されている、請求項1から4のいずれか一項に記載の非水性液体医薬組成物。
【請求項６】
界面活性剤が非イオン性界面活性剤である、請求項1から5のいずれか一項に記載の非水性液体医薬組成物。
【請求項７】
脂質および/または界面活性剤が、モノカプリル酸グリセロール(例えば、Rylo MG08 Pharmaなど)、モノカプリン酸グリセロール(例えば、DaniscoのRylo MG10 Pharmaなど)、ポリグリセロール脂肪酸エステル(例えば、Plurol Oleiqueまたはモノカプリル酸ジグリセロールなど)、カプリロカプロイルマクロゴール-8-グリセリド(例えば、Labrasol ALFなど)、ポリソルベート20(Tween 20または超精製Tween 20など)、およびポリソルベート80(Tween 80または超精製Tween 80など)からなる群から選択される、請求項1から6のいずれか一項に記載の非水性液体医薬組成物。
【請求項８】
プロピレングリコールである共溶媒をさらに含む、請求項1から7のいずれか一項に記載の非水性液体医薬組成物。
【請求項９】
インスリンがインスリンの誘導体である、請求項1から8のいずれか一項に記載の非水性液体医薬組成物。
【請求項１０】
請求項1から9に記載のいずれか一項に記載の非水性液体医薬組成物を製造するための方法。
【請求項１１】
少なくとも1つの脂質、少なくとも1つのインスリン、および共溶媒を含む非水性液体医薬組成物を製造するための方法であって、前記共溶媒、前記脂質、および任意選択の界面活性剤が、組成物に添加される前にまず、界面活性剤適合性窒素含有求核性マトリックス上で精製される方法。
【請求項１２】
医薬組成物が共溶媒およびスカベンジャーを含み、スカベンジャーが、医薬組成物を製造する方法の第1のステップとして、前記精製された共溶媒中に溶解され、次いで第2のステップとして、インスリンがスカベンジャーを含有する共溶媒中に溶解される、請求項10から11のいずれか一項に記載の非水性液体医薬組成物を製造するための方法。
【請求項１３】
スカベンジャーが、前記共溶媒中に溶解される前に中和される、請求項12に記載の非水性液体医薬組成物を製造するための方法。
【請求項１４】
インスリンが、エチレンジアミンおよびプロピレングリコールを含む混合物中で穏やかに撹拌することによって溶解される、請求項10から12のいずれか一項に記載の非水性液体医薬組成物を製造するための方法。
【請求項１５】
脂質、共溶媒、界面活性剤、または脂質を含む医薬組成物を精製するための方法であって、精製が界面活性剤適合性窒素含有求核性マトリックス上で実施され、それによって過剰のアルデヒドの除去が実現される方法。
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2013504618.tif 000001
のハプテンであって、式中、Ｘがチオール基を含まないリンカー部分である前記ハプテン。
【請求項２】
Ｘが：
【化２】
2013504618.tif 000002
2013504618.tif 000003
からなる群より選択される請求項１記載のハプテンであって、式中、ｎが１〜２０の整数であり；ｍが０から６の整数であり；ｋが０から２０の整数であり；ｐが０から６の整数であり；ｒが１から２０の整数であり；Ｚが−Ｏ−、−ＣＨ２−および−ＮＨ−から成る群より選択され；Ｒ１およびＲ２が−ＮＨＣＯ−、−ＣＯＮＨ−、−ＣＯＮＨＮＨ−、−ＮＨＮＨＣＯ−、−ＮＨＣＯＮＨ−、−ＣＯＮＨＮＨＣＯ−および−Ｓ−Ｓ−から成る群より独立して選択され；Ｙが−Ｈ、−ＯＨ、＝ＣＨ２、−ＣＨ３、−ＯＣＨ３、−ＣＯＯＨ、ハロゲン、アシル、２−ニトロ−４−スルホベンゾエート、Ｎ−オキシスクシンイミデート、Ｎ−マレイミド、イミノアシレート、イソシアネート、イソチオシアネート、ハロホルメート、ビニルスルホン、イミドエステル、フェニルグリオキサレート、ヒドラジド、アジド、アミノおよびＮ−ヒドロキシスクシンイミデートから成る群より選択される前記ハプテン。
【請求項３】
請求項２記載のハプテンであって、式中、Ｒが−Ｚ（ＣＨ２）ｎＹであり、ここでｎが１から２０の整数であり、Ｚが−Ｎ−、−ＣＨ２−および−Ｏ−から成る群より選択され、およびＹが−ＯＨ、−ＯＣＨ３、−ＣＯＯＨ、アシル、アリール、アルキル、Ｎ−マレイミド、イミノアシレート、イソシアネート、イソチオシアネート、ハロホメート、ビニルスルホン、イミドアシレート、フェニルグリオキサレート、ヒドラジド、アルキニル、アジド、アミノおよびＮ−ヒドロキシスクシンイミデートから成る群より選択される前記ハプテン。
【請求項４】
Ｚが−ＣＨ２−であり、およびｎが３である請求項２または３記載のハプテン。
【請求項５】
Ｙが−ＣＯＯＨである請求項２または３記載のハプテン。
【請求項６】
式（ＩＩ）：
【化３】
2013504618.tif 000004
の免疫抱合体であって、式中、Ｗがキャリア部分Ｒに共有結合しているリンカー部分であり、ここで当該共有結合がチオエーテル結合でない前記免疫抱合体。
【請求項７】
Ｗが次の群：
【化４】
2013504618.tif 000005
2013504618.tif 000006
より選択される請求項６記載の免疫抱合体であって、式中、ｎが１〜２０の整数であり；ｍが０から６の整数であり；ｋが０から２０の整数であり；ｐが０から６の整数であり；ｒが１から２０の整数であり；Ｚが−Ｏ−、−ＣＨ２−および−ＮＨ−から成る群より選択され；Ｒ１およびＲ２が−ＮＨＣＯ−、−ＣＯＮＨ−、−ＣＯＮＨＮＨ−、−ＮＨＮＨＣＯ−、−ＮＨＣＯＮＨ−、−ＣＯＮＨＮＨＣＯ−および−Ｓ−Ｓ−から成る群より独立して選択され；Ｙが−Ｏ−、＝ＣＨ−、−ＣＨ２−、−ＣＨ＝ＣＨ−、−Ｃ≡Ｃ−、−ＯＣＨ２−、−Ｃ（Ｏ）−、−Ｃ（Ｏ）Ｏ−、−ＮＨ−、−Ｃ（Ｏ）ＮＨ−、−Ｎ＝Ｎ−、−Ｎ＝Ｎ＝Ｎ−、−Ｓ−Ｓ−、ハロゲン、アシル、２−ニトロ−４−スルホベンゾエート、Ｎ−オキシスクシンイミデート、Ｎ−マレイミド、イミノアシレート、イソシアネート、イソチオシアネート、ハロホメート、ビニルスルホン、イミドエステル、フェニルグリオキサレート、ヒドラジド、アジド、アミノおよびＮ−ヒドロキシスクシンイミデートから成る群より選択される前記免疫抱合体。
【請求項８】
請求項６または７記載の免疫抱合体であって、式中、Ｗが−Ｚ（ＣＨ２）ｎＹであり、ここでｎが１から２０の整数であり、Ｚが−ＮＨ−、−Ｏ−および−ＣＨ２−から成る群より選択され、およびＹが−Ｏ−、＝ＣＨ−、−ＣＨ２−、−ＣＨ＝ＣＨ−、−Ｃ≡Ｃ−、−ＯＣＨ２−、−Ｃ（Ｏ）−、−Ｃ（Ｏ）Ｏ−、−ＮＨ−、−Ｃ（Ｏ）ＮＨ−、−Ｎ＝Ｎ−、−Ｎ＝Ｎ＝Ｎ−、−Ｓ−Ｓ−から成る群より選択される前記免疫抱合体。
【請求項９】
Ｚが−ＣＨ２−であり、並びにｎが３である請求項７または８記載の免疫抱合体。
【請求項１０】
Ｙが−Ｃ（Ｏ）Ｏ−である請求項７ないし９のいずれか一項に記載の免疫抱合体。
【請求項１１】
請求項６ないし１０のいずれか一項に記載の免疫抱合体であって、式中、Ｒがキーホールリンペットヘモシアニン（ＫＬＨ），エデスチン、チログロブリン、ヒト血清アルブミン、ヒツジ赤血球、破傷風トキソイド（ＴＴ）、ジフテリアトキソイド、コレラトキソイド、ポリアミン酸、Ｄ−リジン、Ｄ−グルタミン酸、細菌毒素のＬＴＢファミリー構成員、レトロウイルス核タンパク質（レトロＮＰ）、狂犬病リボ核タンパク質（狂犬病ＲＮＰ）、水泡性口内炎ウイルスヌクレオカプシドタンパク質（ＶＳＶ−Ｎ）、組換ポックスウイルスサブユニットおよびウシ血清アルブミン（ＢＳＡ）から成る群より選択される前記免疫抱合体。
【請求項１２】
請求項６ないし１０のいずれか一項に記載の免疫抱合体であって、式中、キャリア部分が破傷風トキソイド（ＴＴ）、ジフテリア毒素交差反応性変異体１９７（ＣＲＭ）、キーホールリンペットヘモシアニン（ＫＬＨ）またはＢＳＡである前記免疫抱合体。
【請求項１３】
免疫学的に有効な量の請求項６ないし１２のいずれか一項に記載の免疫抱合体および生理学的に許容可能なベヒクルを含む組成物。
【請求項１４】
アジュバントをさらに含む請求項１３記載の組成物。
【請求項１５】
対象において抗ニコチン免疫応答を誘導するための請求項１３または１４記載の組成物。
【請求項１６】
請求項１３ないし１５のいずれか一項に記載の組成物であって、式中、Ｘが−（ＣＨ２）４−Ｃ（Ｏ）Ｏ−であり、およびキャリア部分が破傷風トキソイド（ＴＴ）、ジフテリア毒素交差反応性変異体１９７（ＣＲＭ）、キーホールリンペットヘモシアニン（ＫＬＨ）またはＢＳＡである前記組成物。
【請求項１７】
式ＩＩＩ：
【化５】
2013504618.tif 000007
の免疫抱合体の調製方法であって、式中、Ｙがキャリア部分への結合を促進する官能基であり、Ｒがキャリア部分であり並びにｎが３から８の整数であり、当該方法が
（ａ）化合物Ａ：
【化６】
2013504618.tif 000008
を化合物Ｂ：
【化７】
2013504618.tif 000009
へ変換すること、並びに
（ｂ）化合物Ｂを式ＩＩＩの免疫抱合体へ変換すること
を含む前記調製方法。
【請求項１８】
ｎが５であり、並びにＹが−Ｃ（Ｏ）Ｏ−である請求項１７記載の方法。
【請求項１９】
請求項１７または１８記載の方法であって、ここでキャリア部分が破傷風トキソイド（ＴＴ）、ジフテリア毒素交差反応性変異体１９７（ＣＲＭ）、キーホールリンペットヘモシアニン（ＫＬＨ）またはＢＳＡである前記方法。
【請求項２０】
請求項６ないし１２のいずれか一項に記載の免疫抱合体に結合する抗体。
【請求項２１】
ニコチンに結合する請求項２０記載の抗体。
【請求項２２】
１５０μＭないし１０μＭの解離定数でニコチンに結合する請求項２０または２１記載の抗体。
【請求項２３】
請求項２０ないし２２のいずれか一項に記載の抗体および生理学的に許容可能なベヒクルを含む組成物。